(57)【要約】【課題】ギフト商品と商品券等のシート状部材とを一体にして一緒に送付することができるギフト商品包装体を提供する。【解決手段】ギフト商品１３が収納される包装箱１と、商品券等のシート状部材２とを備え、シート状部材２を包装箱１に保持するための保持手段１５，１５を設け、この保持手段１５，１５によりシート状部材２を包装箱１に保持するようにした。【選択図】      図１
2007030919.tif 000002
【特許請求の範囲】
【請求項１】
ギフト商品が収納される包装箱と、商品券等のシート状部材とを備え、シート状部材を包装箱に保持するための保持手段を設け、この保持手段によりシート状部材を包装箱に保持するようにしたことを特徴とするギフト商品包装体。
【請求項２】
包装箱は、上面が開口する箱本体部と、箱本体部の上面開口を閉塞する蓋部とを備え、蓋部の上面に保持手段を設けるようにしたことを特徴とする請求項１に記載のギフト商品包装体。
【請求項３】
シート状部材を、包装箱の蓋部の上面に保持手段として設けた切込みに差込んで保持するようにしたことを特徴とする請求項２に記載のギフト商品包装体。
【請求項４】
切込みは、シート状部材の四隅の内の隣り合う角部分がそれぞれ差込まれるように蓋部の上面の二個所に設けられていることを特徴とする請求項３に記載のギフト商品包装体。
【請求項５】
包装箱の蓋部は、箱本体部の一側部にヒンジ部を介して開閉可能に連結され、箱本体部に閉止部材を介して閉じた状態に止められることを特徴とする請求項２乃至請求項４のいずれかに記載のギフト商品包装体。
【請求項６】
包装箱の蓋部を閉じた状態に止めるための閉止部材は、包装箱を囲繞する状態で巻回する紐状体であることを特徴とする請求項５に記載のギフト商品包装体。
【請求項７】
紐状体は、伸縮自在なゴム紐で形成されていることを特徴とする請求項６に記載のギフト商品包装体。
【請求項８】
紐状体は、水引きから形成された飾り結び部を有することを特徴とする請求項６又は請求項７に記載のギフト商品包装体。
【発明の詳細な説明】
【技術分野】
【０００１】
本発明は、例えばお中元、お歳暮、各種お祝い、各種お返し等として贈るギフト商品包装体に関するものである。
【背景技術】
【０００２】
例えばお中元、お歳暮、各種お祝い、各種お返し等としてギフト商品を贈る際に使用される包装箱は、単にギフト商品を収納するだけであった。
【０００３】
ところで、同じ贈り先に必要に応じてギフト商品と商品券とを贈りたいことがしばしばあり、このような場合には、これまでの包装箱が単にギフト紙用品を収納するだけであるため、ギフト商品と商品券とを別々に送付するのが実情であった。
【発明の開示】
【発明が解決しようとする課題】
【０００４】
同じ贈り先へギフト商品と商品券とを贈る場合、これまではギフト商品と商品券とを別々に送付していたため、送付の手配を二度しなければならないとともに、贈り先への確認も二度しなければならず、ギフト商品と商品券とを送付する上において手間とコストがかかるという不都合があった。しかも、贈り先へはギフト商品と商品券とが別々に届くため、贈る側の感謝の気持ち等が贈り先へ伝わり難いという不都合もあった。
【０００５】
本発明は、このような課題を解決するためになされたもので、ギフト商品と商品券等のシート状部材とを一体にして一緒に送付することができるギフト商品包装体を提供することを目的とする。
【課題を解決するための手段】
【０００６】
本発明のギフト商品包装体は、ギフト商品が収納される包装箱と、商品券等のシート状部材とを備え、シート状部材を包装箱に保持するための保持手段を設け、この保持手段によりシート状部材を包装箱に保持するようにしたものである。
【０００７】
この構成によれば、ギフト商品と商品券等のシート状部材とを贈る際には、包装箱にシート状部材を保持手段により保持し、これを贈り物として送付する。これにより、ギフト商品と商品券等のシート状部材とを一体にして一緒に送付することができる。
【０００８】
また、包装箱は、上面が開口する箱本体部と、箱本体部の上面開口を閉塞する蓋部とを備え、蓋部の上面に保持手段を設けるようにしたものである。この構成によれば、包装箱にシート状部材を保持する際、包装箱の箱本体部にギフト商品を収納し、この箱本体部の上面開口を蓋部で閉塞し、この蓋部の上面に保持手段によりシート状部材を保持する。従って、シート状部材は、ギフト商品が収納された包装箱の蓋部の上面に保持されることになる。
【０００９】
また、シート状部材を、包装箱の蓋部の上面に保持手段として設けた切込みに差込んで保持するようにしたものである。この構成によれば、シート状部材を包装箱の蓋部の上面に保持する際、包装箱の蓋部の上面に設けられた切込みにシート状部材を差込んで保持する。これにより、シート状部材を、包装箱の蓋部の上面に切込みにより簡単に保持できる。
【００１０】
また、切込みは、シート状部材の四隅の内の隣り合う角部分がそれぞれ差込まれるように蓋部の上面の二個所に設けられているものである。この構成によれば、シート状部材を包装箱の蓋部の上面に設けられた切込みに保持する際、蓋部の上面の二個所に設けられている切込みにシート状部材の隣り合う角部分をそれぞれ差込んでシート状部材を保持する。これにより、シート状部材の切込みに差込まれる隣り合う角部分の間のサイズが変わらなければ、シート状部材の他のサイズが変わってもシート状部材を蓋部の上面に保持できる。
【００１１】
また、包装箱の蓋部は、箱本体部の一側部にヒンジ部を介して開閉可能に連結され、箱本体部に閉止部材を介して閉じた状態に止められているものである。この構成によれば、包装箱の蓋部は、箱本体部に対してヒンジ部を介して開閉可能とされ、箱本体部に閉じた状態において閉止部材により閉じた状態を止められるようになっている。これにより、包装箱の蓋部が、箱本体部に対して不用意に開くことを防止できる。
【００１２】
また、包装箱の蓋部を閉じた状態に止めるための閉止部材は、包装箱を囲繞する状態で巻回する紐状体である。この構成によれば、包装箱の蓋部を閉じた状態に止める際、包装箱の蓋部を閉じた状態において紐状体を包装箱にその周囲を囲繞するように巻回すると、紐状体により包装箱の蓋部が箱本体部の上面に閉止され、蓋部は閉じた状態に止められることになる。
【００１３】
紐状体は、伸縮自在なゴム紐で形成されているものである。この構成によれば、紐状体を包装箱に巻回する際、紐状体は、ゴム紐の伸縮を利用して包装箱の周囲に巻回されるとともに、巻回時はゴム紐の伸縮を利用して蓋部を箱本体部に押付けることになる。これにより、紐状体を包装箱の周囲に簡単に巻回することができるとともに、確実に蓋部を閉じた状態に止めることができる。
【００１４】
紐状体は、水引きから形成された飾り結び部を有するものである。この構成によれば、紐状体を包装箱の蓋部を閉じた状態に止めるために包装箱の周囲に巻回すると、紐状体がお祝い事等の贈り物を贈る際の飾り紐として利用できる。
【発明の効果】
【００１５】
本発明によれば、ギフト商品と商品券等のシート状部材を一体にして一緒に送付することができるため、発送の手間や贈り先への確認が一度で済み、発送の手間及びコストを節約させることができる。しかも、ギフト商品が収納された包装箱の上面に商品券等のシート状部材が保持されているので、貰った人には商品券等のシート状部材が一目で分かり、ギフト商品と商品券等のシート状部材とを贈った贈り側の感謝の気持ちが十分に伝わってお付き合いをより深める効果がもたらされる。
【発明を実施するための最良の形態】
【００１６】
以下、本発明のギフト商品包装体の一実施形態について図面を参照して説明する。但し、以下に説明する実施形態はギフト商品に商品券入り封筒を添付するギフト商品包装体を例示するものである。図１は本実施形態のギフト商品包装体の全体斜視図、図２は平面図、図３及び図４は包装箱を開いた状態を示す斜視図である。
【００１７】
図１に示すように、実施形態のギフト商品包装体Ａは、ギフト商品、例えばタオル等が収納される包装箱１と、これに保持された商品券入り封筒２とを備えている。
【００１８】
包装箱１は、例えばボール紙、その他の厚紙等の紙材から形成されたものであり、箱本体部１１と蓋部１２とから構成されている。
【００１９】
箱本体部１１は、底板と４側壁とからなる上面が開口された矩形の箱型に形成されている。箱本体部１１の内部には、図３及び図４に示すように、例えばタオル等のギフト商品１３が収納されている。
【００２０】
箱本体部１１の内寸法は限定されるものではないが、例えばＡ４、Ｂ５等の用紙規格サイズに符合させれば、包装箱１をギフト商品の包装用として使用後は書類入れとして利用することができる。
【００２１】
蓋部１２は、箱本体部１１の上面開口を閉塞可能な形状に形成されている。そして、蓋部１２は、その一側部が箱本体部１１の上面開口の一側部に折曲構造のヒンジ部１４を介して一体的に連結され、このヒンジ部１４を支点として回動することにより、箱本体部１１の上面開口を開閉するようになっている。
【００２２】
蓋部１２の上面には、その下方側の左右に所定の間隔で一対の切込み１５，１５が形成されている。一対の切込み１５，１５は、互いに対向するように、かつ、斜めに逆八の字状に形成されている。一対の切込み１５，１５は、商品券入り封筒２を差込むことができるようにしてある。一対の切込み１５，１５には商品券入り封筒２の四隅の内の隣り合う２つの角部分、即ち、下側の両角部分がそれぞれ差込まれるようになっている。従って、一対の切込み１５，１５に商品券入り封筒２の下側の両角部分をそれぞれ差込むと、商品券入り封筒２は蓋部１２の上面に一対の切込み１５，１５により保持されることになる。即ち、一対の切込み１５，１５は、商品券入り封筒２を包装箱１の上に保持させるための保持手段として作用している。
【００２３】
包装箱１は、閉止部材、例えばゴムバンド１６を使って箱本体部１１の上面開口が蓋部１２で閉じられた状態に止められるようにしてある。
【００２４】
ゴムバンド１６は、伸縮自在なゴム紐を用いて輪状に形成され、包装箱１の箱本体部１１の上面開口を蓋部１２で閉じた状態において包装箱１の周囲を囲繞するように巻回される。このように、ゴムバンド１６を包装箱１の周囲に巻回することにより、包装箱１は箱本体部１１の上面開口が蓋部１２で閉じられた状態に止められることになる。
【００２５】
ゴムバンド１６は、その一部に水引きから形成された飾り結び部１６ａを設けて飾り紐として使用する。ゴムバンド１６は、飾り結び部１６ａが蓋部１２の上面中央に位置するように包装箱１に巻回される。飾り結び部１６ａは、適宜の取付手段を介してゴムバンド１６に装着されている。
【００２６】
商品券入り封筒２は、複数枚の商品券２１を収納させたもので、下側の両角部分を包装箱１の蓋部１２の上面に設けた一対の切込み１５，１５にそれぞれ差込むことにより、包装箱１の上に保持されるようになっている。
【００２７】
このように構成される本実施形態のギフト商品包装体Ａは、包装箱１の箱本体部１１にギフト商品１３を収納した状態において蓋部１２を閉じ、該蓋部１２の一対の切込み１５，１５に商品券入り封筒２を差込んで包装箱１の上に商品券入り封筒２を保持する。そして、包装箱１をゴムバンド１６を使って蓋部１２を閉じた状態に止めればギフト商品包装体Ａを形成することができる。
【００２８】
本実施形態のギフト商品包装体Ａは、ギフト商品１３が収納された包装箱１の蓋部１２に一対の切込み１５，１５が設けられているから、一対の切込み１５，１５に商品券２１が収納されている商品券入り封筒２を差込むことにより、包装箱１の上に商品券入り封筒２を簡単に保持することができる。そして、これを贈り先へ贈り物としてギフト商品１３と商品券２１とを一緒に送付する。
【００２９】
このように、本実施形態のギフト商品包装体Ａは、包装箱１の上に商品券入り封筒２を保持させてギフト商品１３と商品券２１とを一緒に送付することができるため、発送の手配や贈り先への確認が一度で済み、発送の手間及びコストを節約させることができる。しかも、ギフト商品１３が収納された包装箱１の上に商品券２１が収納された商品券入り封筒２が保持されているので、貰った人には商品券入り封筒２が一目で分かり、ギフト商品１３と商品券２１とを贈った贈り側の感謝の気持ちが十分に伝わってお付き合いをより深める効果がもたらされる。
【００３０】
また、本実施形態のギフト商品包装体Aは、包装箱１の蓋部１２に設けられた一対の切込み１５，１５に商品券２１が収納されている商品券入り封筒２を差込んで保持できるから、包装箱１に対して商品券入り封筒２を簡単に保持させたり取外したりすることができる。
【００３１】
また、本実施形態のギフト商品券包装体Ａは、包装箱１の箱本体部１１に対して蓋部１２をヒンジ部１４を介して開閉可能に連結させたから、箱本体部１１から蓋部１２を取外して別置きにする必要がなく、置き場所を考慮することなく蓋部１２を片手で開閉することができる。
【００３２】
また、本実施形態のギフト商品包装体Aは、包装箱１の蓋部１２をゴムバンド１６を使って閉じた状態に止めるようにしたから、比較的乱暴な扱いをされても包装箱１の蓋部１２が不用意に開くことを防止できる。
【００３３】
更に、本実施形態のギフト商品包装体Aは、ゴムバンド１６をその一部に水引きから形成された飾り結び部１６ａを設けて飾り紐として使用することができるから、水引きが有する祝福の気持ちも贈り先に伝えることができる。
【００３４】
尚、本発明は、前記実施形態に限定されるものではなく、種々の態様で実施が可能である。例えば、包装箱１の蓋部１２の上には商品券２１を収納させた商品券入り封筒２を保持させているが、商品券２１を収納させた商品券入り封筒２以外にも、例えばビール券、旅行券等の金券を収納させた金券入り封筒を保持させてもよし、例えば挨拶状、御礼状等を保持させてもよい。要するに、ギフト商品と一緒に贈るのに適したシート状部材であればよい。
【００３５】
また、伸縮自在なゴム紐からなるゴムバンド（紐状体）１６を使って包装箱１の蓋部１２を閉じた状態に止めているが、ゴムバンド１６以外にも伸縮性を有しない紐状体、例えば水引きを使って包装箱１の蓋部１２を閉じた状態に止めてもよい。
【００３６】
また、紐状体（ゴムバンド１６）の一部に水引きから形成された飾り結び部１６ａを設けて飾り紐としているが、紐状体に飾り結び部１６ａを設けなくてもよい。
【００３７】
また、紐状体（ゴムバンド１６）の一部に水引きから形成された別体の飾り結び部１６ａを適宜の取付手段で装着するようにしているが、伸縮性を有しない紐状体であれば、飾り結び部１６ａを一体に形成してもよい。
【００３８】
また、包装箱１の蓋部１２を閉じた状態に止めるため、ゴムバンド１６、即ち、紐状体を包装箱１の周囲に巻回させているが、紐状体を包装箱１の周囲に巻回させる以外にも、例えば、図５に示すように、包装箱１の蓋部１２の自由端中央に環状部１７ａを有する一方の止め部材１７を設け、箱本体部１１の蓋部１２の自由端に対応する側壁上部中央に棒状部１８ａを有する他方の止め部材１８を設け、この他方の止め部材１８の棒状部１８ａを蓋部１２の一方の止め部材１７の環状部１７ａに係脱自在に係着することにより、包装箱１の蓋部１２を閉じた状態に止めてもよい。
【００３９】
また、包装箱１の蓋部１２には、商品券入り封筒２を保持するための切込み１５が上面の下方側の左右二個所に設けられているが、この切込み１５を上面の上方側及び下方側の左右二個所、合計四個所に設けるようにしてもよい。但し、商品券入り封筒２を保持するための切込み１５は、商品券入り封筒２の四隅の内の隣り合う２つの角部分をそれぞれ差込めるように二個所に設けるのが好ましい。何故ならば、商品券入り封筒２の四隅の内の隣り合う２つの角部分をそれぞれ差込めるように二個所に切込み１５，１５を設ければ、商品券入り封筒２の切込み１５，１５に差込まれる隣り合う角部分の間のサイズが変わらなければ、商品券入り封筒２の他のサイズが変わっても商品券入り封筒２を差込んで保持することができる。
【００４０】
また、包装箱１の箱本体部１１と蓋部１２とが一体のものであるが、包装箱１の箱本体部１１と蓋部１２とは別体のものであってもよい。
【００４１】
更に、包装箱１をボール紙、その他の厚紙等の紙材から形成しているが、包装箱１をプラスチックシートから形成してもよい。
【図面の簡単な説明】
【００４２】
【図１】本発明の実施形態に係るギフト商品包装体の斜視図である。
【図２】本発明の実施形態に係るギフト商品包装体の平面図である。
【図３】本発明の実施形態に係るギフト商品包装体の包装箱を開いた状態を示す斜視図である。
【図４】本発明の実施形態に係るギフト商品包装体の包装箱を開いた状態を図３とは異なる方向から示す斜視図である。
【図５】本発明の他の実施形態に係るギフト商品包装体の要部斜視図である。
【符号の説明】
【００４３】
Ａ…ギフト商品包装体、１…包装箱、２…商品券入り封筒（シート状部材）、１１…箱本体部、１２…蓋部、１３…ギフト商品、１４…ヒンジ部、１５…切込み、１６…ゴムバンド（閉止部材）、１６ａ…飾り結び部、２１…商品券
【図１】
2007030919.tif 000003
【図２】
2007030919.tif 000004
【図３】
2007030919.tif 000005
【図４】
2007030919.tif 000006
【図５】
2007030919.tif 000007